(57)【特許請求の範囲】
【請求項１】
被検体を撮影する磁気共鳴装置であって、
ｍ個のコイルエレメントの中から、コイルエレメントの第１の組合せと、コイルエレメントの第２の組合せとを選択するコイルエレメント選択手段であって、前記第１の組合せは、複数のコイルエレメントを含み、前記第２の組合せは、前記複数のコイルエレメントのうちの一部のコイルエレメントを含むように、コイルエレメントの組合せを選択するコイルエレメント選択手段と、
前記第１の組合せを用いて前記被検体の磁気共鳴信号を収集するためのキャリブレーションスキャンを実行するスキャン手段と、
前記キャリブレーションスキャンを実行したときに前記複数のコイルエレメントのうちの前記一部のコイルエレメントが受信した第１の受信信号を算出する算出手段と、
前記第１の受信信号を、前記第２の組合せを用いて磁気共鳴信号を収集したときに前記一部のコイルエレメントが受信する第２の受信信号に変換する変換手段と、
前記第２の受信信号に基づいて、前記第２の組合せの感度を補正するためのキャリブレーションデータを作成するキャリブレーションデータ作成手段とを有する磁気共鳴装置。
【請求項２】
前記キャリブレーションデータ作成手段は、
前記キャリブレーションスキャンを実行したときに前記第１の組合せの各コイルエレメントが受信した信号に基づいて、前記第１の組合せの感度を補正するためのキャリブレーションデータを作成する、請求項１に記載の磁気共鳴装置。
【請求項３】
前記スキャン手段は、前記第１の組合せを用いて磁気共鳴信号を収集するための第１の本スキャンを実行し、
前記第１の本スキャンにより得られた画像データは、前記第１の組合せの感度を補正するためのキャリブレーションデータで補正される、請求項２に記載の磁気共鳴装置。
【請求項４】
前記スキャン手段は、前記第２の組合せを用いて磁気共鳴信号を収集するための第２の本スキャンを実行し、
前記第２の本スキャンにより得られた画像データは、前記第２の組合せの感度を補正するためのキャリブレーションデータで補正される、請求項１〜３のうちのいずれか一項に記載の磁気共鳴装置。
【請求項５】
前記第１の受信信号を前記第２の受信信号に変換するための補正データを保存する保存手段を有し、
前記変換手段は、前記補正データを用いて前記第２の受信信号を求める、請求項１〜４のうちのいずれか一項に記載の磁気共鳴装置。
【請求項６】
マグネットに内蔵されたＲＦコイルであって、前記被検体にＲＦパルスを送信するとともに、前記被検体からの磁気共鳴信号を受信するＲＦコイルを有し、
前記キャリブレーションスキャンでは、前記ＲＦコイルを用いて前記被検体の磁気共鳴信号を受信するためのスキャンが実行される、請求項１〜５のうちのいずれか一項に記載の磁気共鳴装置。
【請求項７】
被検体を撮影する磁気共鳴装置であって、
ｍ個のコイルエレメントの中から、コイルエレメントの第１の組合せと、コイルエレメントの第２の組合せと、コイルエレメントの第３の組合せとを選択するコイルエレメント選択手段であって、前記第１の組合せは一つ以上のコイルエレメントを含み、前記第２の組合せは、前記一つ以上のコイルエレメントとは別の一つ以上のコイルエレメントを含み、前記第３の組合せは前記一つ以上のコイルエレメントと前記別の一つ以上のコイルエレメントとを含むように、コイルエレメントの組合せを選択するコイルエレメント選択手段と、
前記第１の組合せを用いて前記被検体から磁気共鳴信号を収集するための第１のキャリブレーションスキャンと、前記第２の組合せを用いて前記被検体から磁気共鳴信号を収集するための第２のキャリブレーションスキャンとを実行するスキャン手段と、
前記第１のキャリブレーションスキャンを実行したときに前記第１の組合せに含まれる前記一つ以上のコイルエレメントが受信した第１の受信信号と、前記第２のキャリブレーションスキャンを実行したときに前記第２の組合せに含まれる前記別の一つ以上のコイルエレメントが受信した第２の受信信号とを算出する算出手段と、
前記第１の受信信号を、前記第３の組合せを用いて磁気共鳴信号を収集したときに前記一つ以上のコイルエレメントが受信する第３の受信信号に変換するとともに、前記第２の受信信号を、前記第３の組合せを用いて磁気共鳴信号を収集したときに前記別の一つ以上のコイルエレメントが受信する第４の受信信号に変換する変換手段と、
前記第３の受信信号および第４の受信信号に基づいて、前記第３の組合せの感度を補正するためのキャリブレーションデータを作成するキャリブレーションデータ作成手段とを有する磁気共鳴装置。
【請求項８】
前記キャリブレーションデータ作成手段は、
前記第１のキャリブレーションスキャンを実行したときに前記第１の組合せの各コイルエレメントが受信した受信信号に基づいて、前記第１の組合せの感度を補正するためのキャリブレーションデータを作成する、請求項７に記載の磁気共鳴装置。
【請求項９】
前記スキャン手段は、前記第１の組合せを用いて磁気共鳴信号を収集するための第１の本スキャンを実行し、
前記第１の本スキャンにより得られた画像データは、前記第１の組合せの感度を補正するためのキャリブレーションデータで補正される、請求項８に記載の磁気共鳴装置。
【請求項１０】
前記キャリブレーションデータ作成手段は、
前記第２のキャリブレーションスキャンを実行したときに前記第２の組合せの各コイルエレメントが受信した受信信号に基づいて、前記第２の組合せの感度を補正するためのキャリブレーションデータを作成する、請求項７〜９のうちのいずれか一項に記載の磁気共鳴装置。
【請求項１１】
前記スキャン手段は、前記第２の組合せを用いて磁気共鳴信号を収集するための第２の本スキャンを実行し、
前記第２の本スキャンにより得られた画像データは、前記第２の組合せの感度を補正するためのキャリブレーションデータで補正される、請求項１０に記載の磁気共鳴装置。
【請求項１２】
前記スキャン手段は、前記第３の組合せを用いて磁気共鳴信号を収集するための第３の本スキャンを実行し、
前記第３の本スキャンにより得られた画像データは、前記第３の組合せの感度を補正するためのキャリブレーションデータで補正される、請求項７〜１１のうちのいずれか一項に記載の磁気共鳴装置。
【請求項１３】
前記第１の受信信号を前記第３の受信信号に変換するための第１の補正データと、前記第２の受信信号を前記第４の受信信号に変換するための第２の補正データとを保存する保存手段を有し、
前記変換手段は、前記第１の補正データを用いて前記第３の受信信号を求め、前記第２の補正データを用いて前記第４の受信信号を求める、請求項７〜１２のうちのいずれか一項に記載の磁気共鳴装置。
【請求項１４】
マグネットに内蔵されたＲＦコイルであって、前記被検体にＲＦパルスを送信するとともに、前記被検体からの磁気共鳴信号を受信するＲＦコイルを有し、
前記第１のキャリブレーションスキャンおよび前記第２のキャリブレーションスキャンでは、前記ＲＦコイルを用いて前記被検体の磁気共鳴信号を受信するためのスキャンが実行される、請求項７〜１３のうちのいずれか一項に記載の磁気共鳴装置。
【発明の詳細な説明】
【技術分野】
【０００１】
本発明は、コイルエレメントの組合せを選択することができる磁気共鳴装置に関する。
【背景技術】
【０００２】
複数のコイルエレメントの中から、磁気共鳴信号の収集に使用されるコイルエレメントを選択する技術が知られている。
【先行技術文献】
【特許文献】
【０００３】
【特許文献１】特開２００６−１７５０５８号公報
【発明の概要】
【発明が解決しようとする課題】
【０００４】
特許文献１の方法では、スキャン条件に適したコイルエレメントの組合せを選択することが可能である。しかし、PURE（Phased array UnifoRmity Enhancement）などの感度補正を行いたい場合、選択されるコイルエレメントの組合せごとに、感度補正に必要なデータを取得するためのキャリブレーションスキャンを行う必要がある。したがって、選択されるコイルエレメントの組合せが増えると、キャリブレーションスキャンの実行回数も増えるので、撮影時間が長くなるという問題がある。したがって、撮影時間の短縮化が望まれている。
【課題を解決するための手段】
【０００５】
本発明の第１の態様は、被検体を撮影する磁気共鳴装置であって、
ｍ個のコイルエレメントの中から、コイルエレメントの第１の組合せと、コイルエレメントの第２の組合せとを選択するコイルエレメント選択手段であって、前記第１の組合せは、複数のコイルエレメントを含み、前記第２の組合せは、前記複数のコイルエレメントのうちの一部のコイルエレメントを含むように、コイルエレメントの組合せを選択するコイルエレメント選択手段と、
前記第１の組合せを用いて前記被検体の磁気共鳴信号を収集するためのキャリブレーションスキャンを実行するスキャン手段と、
前記キャリブレーションスキャンを実行したときに前記複数のコイルエレメントのうちの前記一部のコイルエレメントが受信した第１の受信信号を算出する算出手段と、
前記第１の受信信号を、前記第２の組合せを用いて磁気共鳴信号を収集したときに前記一部のコイルエレメントが受信する第２の受信信号に変換する変換手段と、
前記第２の受信信号に基づいて、前記第２の組合せの感度を補正するためのキャリブレーションデータを作成するキャリブレーションデータ作成手段とを有する磁気共鳴装置である。
【０００６】
本発明の第２の態様は、被検体を撮影する磁気共鳴装置であって、
ｍ個のコイルエレメントの中から、コイルエレメントの第１の組合せと、コイルエレメントの第２の組合せと、コイルエレメントの第３の組合せとを選択するコイルエレメント選択手段であって、前記第１の組合せは一つ以上のコイルエレメントを含み、前記第２の組合せは、前記一つ以上のコイルエレメントとは別の一つ以上のコイルエレメントを含み、前記第３の組合せは前記一つ以上のコイルエレメントと前記別の一つ以上のコイルエレメントとを含むように、コイルエレメントの組合せを選択するコイルエレメント選択手段と、
前記第１の組合せを用いて前記被検体から磁気共鳴信号を収集するための第１のキャリブレーションスキャンと、前記第２の組合せを用いて前記被検体から磁気共鳴信号を収集するための第２のキャリブレーションスキャンとを実行するスキャン手段と、
前記第１のキャリブレーションスキャンを実行したときに前記第１の組合せに含まれる前記一つ以上のコイルエレメントが受信した第１の受信信号と、前記第２のキャリブレーションスキャンを実行したときに前記第２の組合せに含まれる前記別の一つ以上のコイルエレメントが受信した第２の受信信号とを算出する算出手段と、
前記第１の受信信号を、前記第３の組合せを用いて磁気共鳴信号を収集したときに前記一つ以上のコイルエレメントが受信する第３の受信信号に変換するとともに、前記第２の受信信号を、前記第３の組合せを用いて磁気共鳴信号を収集したときに前記別の一つ以上のコイルエレメントが受信する第４の受信信号に変換する変換手段と、
前記第３の受信信号および第４の受信信号に基づいて、前記第３の組合せの感度を補正するためのキャリブレーションデータを作成するキャリブレーションデータ作成手段とを有する磁気共鳴装置である。
【発明の効果】
【０００７】
変換手段により得られた受信信号に基づいてキャリブレーションデータを作成することができるので、キャリブレーションスキャンの回数を削減することができ、撮影時間の短縮化が図られる。
【図面の簡単な説明】
【０００８】
【図１】本発明の一形態の磁気共鳴装置の概略図である。
【図２】受信コイル４の構造の概略図である。
【図３】保存手段１０に保存されている補正データを概略的に示す。
【図４】補正データを作成するときのフローを示す図である。
【図５】コイルエレメントの組合せＡ〜Ｄごとに、各コイルエレメントが受信した信号の平均信号値を示す図である。
【図６】本形態で実行されるスキャンの一例の説明図である。
【図７】図６に示すスキャンを実行するときのフローである。
【図８】保存された受信信号を示す図である。
【図９】図６のスキャンとは別のスキャンの一例を示す図である。
【図１０】図９に示すスキャンを実行するときのフローである。
【図１１】保存された受信信号を示す図である。
【図１２】保存された受信信号を示す図である。
【発明を実施するための形態】
【０００９】
以下、発明を実施するための形態を説明するが、本発明は、以下の形態に限定されることはない。
【００１０】
図１は、本発明の一形態の磁気共鳴装置の概略図である。
磁気共鳴装置（以下、「ＭＲ装置」と呼ぶ。ＭＲ：Magnetic Resonance Imaging）１００は、マグネット２、テーブル３、受信コイル４などを有している。
【００１１】
マグネット２は、被検体１３が収容されるボア２１と、超伝導コイル２２と、勾配コイル２３と、ＲＦコイル２４とを有している。超伝導コイル２２は静磁場を印加し、勾配コイル２３は勾配磁場を印加する。ＲＦコイル２４はＲＦパルスを送信するとともに、被検体１３の磁気共鳴信号を受信する。尚、超伝導コイル２２の代わりに、永久磁石を用いてもよい。
【００１２】
テーブル３は、クレードル３ａを有している。クレードル３ａは、ボア２１内に移動できるように構成されている。クレードル３ａによって、被検体１３はボア２１に搬送される。
【００１３】
受信コイル４は被検体１３の磁気共鳴信号を受信する。
図２は、受信コイル４の構造の概略図である。
【００１４】
受信コイル４は、被検体１３の磁気共鳴信号を受信するための複数のコイルエレメントＥ１〜Ｅ８を有している。本形態では、コイルエレメントの数ｍはｍ＝８とするが、コイルエレメントの数は、８個に限定されることはない。
【００１５】
受信コイル４は、複数のコイルエレメントＥ１〜Ｅ８の中から、被検体１３の磁気共鳴信号を受信するために使用されるコイルエレメントの組合せを選択することができるように構成されている。本形態では、以下の４通りのコイルエレメントの組合せＡ〜Ｄが選択可能である。
コイルエレメントの組合せＡ：コイルエレメントＥ１〜Ｅ８
コイルエレメントの組合せＢ：コイルエレメントＥ１〜Ｅ４
コイルエレメントの組合せＣ：コイルエレメントＥ５〜Ｅ８
コイルエレメントの組合せＤ：コイルエレメントＥ３〜Ｅ６
【００１６】
図１に戻って説明を続ける。
ＭＲ装置１００は、更に、シーケンサ５、送信器６、勾配磁場電源７、受信器８、制御部９、保存手段１０、操作部１１、および表示部１２を有している。
【００１７】
シーケンサ５は、制御部９の制御を受けて、パルスシーケンスの情報を送信器６および勾配磁場電源７に送る。
【００１８】
送信器６は、シーケンサ５から送られたパルスシーケンスの情報に基づいて、ＲＦコイル２４を駆動する信号を出力する。
【００１９】
勾配磁場電源７は、シーケンサ５から送られたパルスシーケンスの情報に基づいて、勾配コイル２３を駆動する信号を出力する。
【００２０】
受信器８は、受信コイル４で受信された磁気共鳴信号を信号処理し、制御部９に出力する。
【００２１】
制御部９は、シーケンサ５および表示部１２に必要な情報を伝送したり、受信器８から受け取ったデータに基づいて画像を再構成するなど、ＭＲ装置１００の各種の動作を実現するように、ＭＲ装置１００の各部の動作を制御する。制御部９は、例えばコンピュータ（computer）によって構成される。制御部９は、コイルエレメント選択手段９１〜画像データ作成手段９５などを有している。
【００２２】
コイルエレメント選択手段９１は、コイルエレメントの組合せＡ〜Ｄの中から、スキャンを実行するときに使用されるコイルエレメントの組合せを選択する。
算出手段９２は、コイルエレメントが受信した受信信号を算出する。
変換手段９３は、算出手段９２が算出した受信信号の変換を行う。
キャリブレーションデータ作成手段９４は、コイルエレメントの組合せの感度を補正するためのキャリブレーションデータを作成する。
画像データ作成手段９５は、画像データを作成する。
【００２３】
制御部９は、コイルエレメント選択手段９１〜画像データ作成手段９５を構成する一例であり、所定のプログラムを実行することにより、これらの手段として機能する。
【００２４】
保存手段１０は、コイルエレメントの受信感度を補正するための補正データを保存する。図３に、保存手段１０に保存されている補正データを概略的に示す。本形態では、以下の４種類の補正データが保存されている。
（ａ）コイルエレメントの組合せＡを用いて磁気共鳴信号を収集したときのコイルエレメントＥ１〜Ｅ４の受信感度を、コイルエレメントの組合せＢを用いて磁気共鳴信号を収集したときのコイルエレメントＥ１〜Ｅ４の受信感度に補正するための補正データcompＢＡ１〜ＢＡ４
（ｂ）コイルエレメントの組合せＡを用いて磁気共鳴信号を収集したときのコイルエレメントＥ５〜Ｅ８の受信感度を、コイルエレメントの組合せＣを用いて磁気共鳴信号を収集したときのコイルエレメントＥ５〜Ｅ８の受信感度に補正するための補正データcompＣＡ５〜ＣＡ８
（ｃ）コイルエレメントの組合せＡを用いて磁気共鳴信号を収集したときのコイルエレメントＥ３〜Ｅ６の受信感度を、コイルエレメントの組合せＤを用いて磁気共鳴信号を収集したときのコイルエレメントＥ３〜Ｅ６の受信感度に補正するための補正データcompＤＡ３〜ＤＡ６
（ｄ）コイルエレメントの組合せＢを用いて磁気共鳴信号を収集したときのコイルエレメントＥ１〜Ｅ４の受信感度を、コイルエレメントの組合せＡを用いて磁気共鳴信号を収集したときのコイルエレメントＥ１〜Ｅ４の受信感度に補正するための補正データcompＡＢ１〜ＡＢ４と、コイルエレメントの組合せＣを用いて磁気共鳴信号を収集したときのコイルエレメントＥ５〜Ｅ８の受信感度を、コイルエレメントの組合せＡを用いて磁気共鳴信号を収集したときのコイルエレメントＥ５〜Ｅ８の受信感度に補正するための補正データcompＡＣ５〜ＡＣ８
（ａ）〜（ｄ）の補正データを作成する手順については、後述する。
【００２５】
操作部１１は、オペレータ１３により操作され、種々の情報を制御部９に入力する。表示部１２は種々の情報を表示する。
ＭＲ装置１００は、上記のように構成されている。
【００２６】
次に、保存手段１０に保存されている補正データの作成方法について説明する。
図４は、補正データを作成するときのフローを示す図である。
【００２７】
ステップＳＴ１では、ボア２１にファントムを設置する。ファントムを設置したら、ステップＳＴ２に進む。
【００２８】
ステップＳＴ２では、ファントムから磁気共鳴信号を収集するための４つのスキャンＦＡ、ＦＢ、ＦＣ、およびＦＤを実行する。各スキャンＦＡ、ＦＢ、ＦＣ、およびＦＤは、以下のようなスキャンである。
スキャンＦＡ：コイルエレメントの組合せＡを用いてファントムの磁気共鳴信号を収集するためのスキャン。
スキャンＦＢ：コイルエレメントの組合せＢを用いてファントムの磁気共鳴信号を収集するためのスキャン。
スキャンＦＣ：コイルエレメントの組合せＣを用いてファントムの磁気共鳴信号を収集するためのスキャン。
スキャンＦＤ：コイルエレメントの組合せＤを用いてファントムの磁気共鳴信号を収集するためのスキャン。
【００２９】
４つのスキャンＦＡ〜ＦＤを実行した後、スキャンＦＡ〜ＦＤで使用されたコイルエレメントの組合せＡ〜Ｄごとに、各コイルエレメントが受信した信号の平均信号値を算出する。図５（ａ）〜（ｄ）に、コイルエレメントの組合せＡ〜Ｄごとに、各コイルエレメントが受信した信号の平均信号値を示す。
【００３０】
図５（ａ）は、コイルエレメントの組合せＡの各コイルエレメントＥ１〜Ｅ８が受信した信号の平均信号値prevalＡ１〜prevalＡ８を表している。
図５（ｂ）は、コイルエレメントの組合せＢの各コイルエレメントＥ１〜Ｅ４が受信した信号の平均信号値prevalＢ１〜prevalＢ４を表している。
図５（ｃ）は、コイルエレメントの組合せＣの各コイルエレメントＥ５〜Ｅ８が受信した信号の平均信号値prevalＣ５〜prevalＣ８を表している。
図５（ｄ）は、コイルエレメントの組合せＤの各コイルエレメントＥ３〜Ｅ６が受信した信号の平均信号値prevalＤ３〜prevalＤ６で表している。
【００３１】
平均信号値を算出した後、ステップＳＴ３に進む。
ステップＳＴ３では、ステップＳＴ２で得られた平均信号値（図５参照）に基づいて、コイルエレメントの受信感度を補正するための補正データ（図３参照）を算出する。以下に、補正データの算出方法について説明する。
【００３２】
先ず、補正データcompＢＡ１〜compＢＡ４（図３（ａ）参照）の算出方法について説明する。補正データcompＢＡ１〜compＢＡ４は、図５に示されている平均信号値のうち、以下の平均信号値を用いて算出される。
【００３３】
（ａ）コイルエレメントの組合せＡにおけるコイルエレメントＥ１〜Ｅ４の平均信号値prevalＡ１〜prevalＡ４（図５（ａ）参照）。
（ｂ）コイルエレメントの組合せＢにおけるコイルエレメントＥ１〜Ｅ４の平均信号値prevalＢ１〜prevalＢ４（図５（ｂ）参照）。
【００３４】
具体的には、補正データcompＢＡ１〜ＢＡ４は、以下の式（１）〜（４）で表される。
compＢＡ１＝prevalＢ１／prevalＡ１  ・・・（１）
compＢＡ２＝prevalＢ２／prevalＡ２  ・・・（２）
compＢＡ３＝prevalＢ３／prevalＡ３  ・・・（３）
compＢＡ４＝prevalＢ４／prevalＡ４  ・・・（４）
【００３５】
例えば、コイルエレメントＥ１の補正データcompＢＡ１は、コイルエレメントの組合せＢで得られた平均信号値prevalＢ１（図５（ｂ）参照）と、コイルエレメントの組合せＡで得られた平均信号値prevalＡ１（図５（ａ）参照）との比で表される。一例として、prevalＢ１＝２０、prevalＡ１＝１０の場合、補正データcompＢＡ１＝２で表される。その他のコイルエレメントＥ２〜Ｅ４の補正データcompＢＡ２〜compＢＡ４も、コイルエレメントの組合せＢで得られた平均信号値と、コイルエレメントの組合せＡで得られた平均信号値との比で表される。
【００３６】
このように、平均信号値の比を求めることにより、補正データcompＢＡ１〜compＢＡ４を求めることができる。
【００３７】
尚、式（１）〜（４）では、平均信号値の比を補正データとしている。しかし、平均信号値の比を、所定の係数ｋで規格化してもよい。以下に、平均信号値の比を所定の係数ｋで規格化することにより得られる補正データcompＢＡ１〜compＢＡ４を示す。
compＢＡ１＝（prevalＢ１／prevalＡ１）・ｋ  ・・・（１ａ）
compＢＡ２＝（prevalＢ２／prevalＡ２）・ｋ  ・・・（２ａ）
compＢＡ３＝（prevalＢ３／prevalＡ３）・ｋ  ・・・（３ａ）
compＢＡ４＝（prevalＢ４／prevalＡ４）・ｋ  ・・・（４ａ）
【００３８】
係数ｋの値は、種々の値に設定することが可能である。例えば、ｋ＝prevalＡ１／prevalＢ１と設定した場合、補正データcompＢＡ１〜compＢＡ４は、以下の式で表される。この場合、補正データcompＢＡ１は、compＢＡ１＝１に設定される。
compＢＡ１＝（prevalＢ１／prevalＡ１）・（prevalＡ１／prevalＢ１）
＝１                                        ・・・（１ｂ）
compＢＡ２＝（prevalＢ２／prevalＡ２）・（prevalＡ１／prevalＢ１）
・・・（２ｂ）
compＢＡ３＝（prevalＢ３／prevalＡ３）・（prevalＡ１／prevalＢ１）
・・・（３ｂ）
compＢＡ４＝（prevalＢ４／prevalＡ４）・（prevalＡ１／prevalＢ１）
・・・（４ｂ）
【００３９】
次に、補正データcompＣＡ５〜compＣＡ８（図３（ｂ）参照）の算出方法について説明する。補正データcompＣＡ５〜compＣＡ８は、図５に示されている平均信号値のうち、以下の平均信号値を用いて算出される。
【００４０】
（ａ）コイルエレメントの組合せＡにおけるコイルエレメントＥ５〜Ｅ８の平均信号値prevalＡ５〜prevalＡ８（図５（ａ）参照）。
（ｂ）コイルエレメントの組合せＣにおけるコイルエレメントＥ５〜Ｅ８の平均信号値prevalＣ５〜prevalＣ８（図５（ｃ）参照）。
【００４１】
具体的には、補正データcompＣＡ５〜compＣＡ８は、以下の式（５）〜（８）で表される。
compＣＡ５＝prevalＣ５／prevalＡ５  ・・・（５）
compＣＡ６＝prevalＣ６／prevalＡ６  ・・・（６）
compＣＡ７＝prevalＣ７／prevalＡ７  ・・・（７）
compＣＡ８＝prevalＣ８／prevalＡ８  ・・・（８）
【００４２】
例えば、コイルエレメントＥ５の補正データcompＣＡ５は、コイルエレメントの組合せＣで得られた平均信号値prevalＣ５（図５（ｃ）参照）と、コイルエレメントの組合せＡで得られた平均信号値prevalＡ５（図５（ａ）参照）との比で表される。一例として、prevalＣ５＝２０、prevalＡ５＝１０の場合、補正データcompＣＡ５＝２で表される。その他のコイルエレメントＥ６〜Ｅ８の補正データcompＣＡ６〜compＣＡ８も、コイルエレメントの組合せＣで得られた平均信号値と、コイルエレメントの組合せＡで得られた平均信号値との比で表される。
【００４３】
このように、平均信号値の比を求めることにより、補正データcompＣＡ５〜compＣＡ８を求めることができる。
【００４４】
尚、式（５）〜（８）を所定の係数ｋで規格化してもよい。例えば、ｋ＝prevalＡ５／prevalＣ５と設定した場合、補正データcompＣＡ５〜compＣＡ８は、以下の式で表される。この場合、補正データcompＣＡ５は、compＣＡ５＝１に設定される。
compＣＡ５＝（prevalＣ５／prevalＡ５）・ｋ
＝（prevalＣ５／prevalＡ５）・（prevalＡ５／prevalＣ５）
＝１                                          ・・・（５ｂ）
compＣＡ６＝（prevalＣ６／prevalＡ６）・ｋ
＝（prevalＣ６／prevalＡ６）・（prevalＡ５／prevalＣ５）
・・・（６ｂ）
compＣＡ７＝（prevalＣ７／prevalＡ７）・ｋ
＝（prevalＣ７／prevalＡ７）・（prevalＡ５／prevalＣ５）
・・・（７ｂ）
compＣＡ８＝（prevalＣ８／prevalＡ８）・ｋ
＝（prevalＣ８／prevalＡ８）・（prevalＡ５／prevalＣ５）
・・・（８ｂ）
【００４５】
次に、補正データcompＤＡ３〜compＤＡ６（図３（ｃ）参照）の算出方法について説明する。補正データcompＤＡ３〜compＤＡ６は、図５に示されている平均信号値のうち、以下の平均信号値を用いて算出される。
【００４６】
（ａ）コイルエレメントの組合せＡにおけるコイルエレメントＥ３〜Ｅ６の平均信号値prevalＡ３〜prevalＡ６（図５（ａ）参照）。
（ｂ）コイルエレメントの組合せＤにおけるコイルエレメントＥ３〜Ｅ６の平均信号値prevalＤ３〜prevalＤ６（図５（ｄ）参照）。
【００４７】
具体的には、補正データcompＤＡ３〜compＤＡ６は、以下の式（９）〜（１２）で表される。
compＤＡ３＝prevalＤ３／prevalＡ３  ・・・（９）
compＤＡ４＝prevalＤ４／prevalＡ４  ・・・（１０）
compＤＡ５＝prevalＤ５／prevalＡ５  ・・・（１１）
compＤＡ６＝prevalＤ６／prevalＡ６  ・・・（１２）
【００４８】
例えば、コイルエレメントＥ３の補正データcompＤＡ３は、コイルエレメントの組合せＤで得られた平均信号値prevalＤ３（図５（ｄ）参照）と、コイルエレメントの組合せＡで得られた平均信号値prevalＡ３（図５（ａ）参照）との比で表される。一例として、prevalＤ３＝２０、prevalＡ３＝１０の場合、補正データcompＤＡ３＝２で表される。その他のコイルエレメントＥ４〜Ｅ６の補正データcompＤＡ４〜compＤＡ６も、コイルエレメントの組合せＤで得られた平均信号値と、コイルエレメントの組合せＡで得られた平均信号値との比で表される。
【００４９】
このように、平均信号値の比を求めることにより、補正データcompＤＡ３〜compＤＡ６を求めることができる。
【００５０】
尚、式（９）〜（１２）を所定の係数ｋで規格化してもよい。例えば、ｋ＝prevalＡ３／prevalＤ３と設定した場合、補正データcompＤＡ３〜compＤＡ６は、以下の式で表される。この場合、補正データcompＤＡ３は、compＤＡ３＝１に設定される。
compＤＡ３＝（prevalＤ３／prevalＡ３）・ｋ
＝（prevalＤ３／prevalＡ３）・（prevalＡ３／prevalＤ３）
＝１                                          ・・・（９ｂ）
compＤＡ４＝（prevalＤ４／prevalＡ４）・ｋ
＝（prevalＤ４／prevalＡ４）・（prevalＡ３／prevalＤ３）
・・・（１０ｂ）
compＤＡ５＝（prevalＤ５／prevalＡ５）・ｋ
＝（prevalＤ５／prevalＡ５）・（prevalＡ３／prevalＤ３）
・・・（１１ｂ）
compＤＡ６＝（prevalＤ６／prevalＡ６）・ｋ
＝（prevalＤ６／prevalＡ６）・（prevalＡ３／prevalＤ３）
・・・（１２ｂ）
【００５１】
最後に、補正データcompＡＢ１〜compＡＢ４およびcompＡＣ５〜compＡＣ８（図３（ｄ）参照）の算出方法について説明する。これらの補正データcompＡＢ１〜compＡＢ４およびcompＡＣ５〜compＡＣ８は、図５に示されている平均信号値を用いて、以下の式（１３）〜（２０）で表される。
compＡＢ１＝prevalＡ１／prevalＢ１  ・・・（１３）
compＡＢ２＝prevalＡ２／prevalＢ２  ・・・（１４）
compＡＢ３＝prevalＡ３／prevalＢ３  ・・・（１５）
compＡＢ４＝prevalＡ４／prevalＢ４  ・・・（１６）
compＡＣ５＝prevalＡ５／prevalＣ５  ・・・（１７）
compＡＣ６＝prevalＡ６／prevalＣ６  ・・・（１８）
compＡＣ７＝prevalＡ７／prevalＣ７  ・・・（１９）
compＡＣ８＝prevalＡ８／prevalＣ８  ・・・（２０）
尚、式（１３）〜（２０）についても係数で規格化することができる。
【００５２】
上記のようにして得られた補正データが、保存手段１０により保存されている（図３参照）。本形態では、画像データを作成する場合、図３に示す補正データを用いてコイルの感度補正を行い、画像データを作成する。
【００５３】
次に、本形態において、被検体１３を撮影するときに実行されるスキャンについて説明する。
【００５４】
図６は、本形態で実行されるスキャンの一例の説明図である。
本形態では、キャリブレーションスキャンＣＡＬａと、本スキャンＭＳａと、本スキャンＭＳｂとが実行される。
【００５５】
キャリブレーションスキャンＣＡＬａは、コイルエレメントの組合せＡの感度を補正するときに使用されるキャリブレーションデータＣＤａを取得するためのスキャンである。キャリブレーションスキャンＣＡＬａでは、コイルエレメントの組合せＡ（図２参照）を用いて磁気共鳴信号が収集される。
【００５６】
本スキャンＭＳａは、高速スピンエコー（ＦＳＥ）法で被検体１３のデータを取得するためのスキャンである。本スキャンＭＳａでは、キャリブレーションスキャンＣＡＬａと同様に、コイルエレメントの組合せＡを用いて磁気共鳴信号が収集される。
【００５７】
本スキャンＭＳｂは、スピンエコー（ＳＥ）法で被検体１３のデータを取得するためのスキャンである。本スキャンＭＳｂでは、本スキャンＭＳａとは異なり、コイルエレメントの組合せＢ（図２参照）を用いて磁気共鳴信号が収集される。
【００５８】
以下に、図６に示すスキャンを実行し、画像データを作成するときの手順について、図７のフローを参照しながら説明する。
【００５９】
先ず、ステップＳＴ１において、コイルエレメント選択手段９１（図１参照）が、キャリブレーションスキャンＣＡＬａで使用されるコイルエレメントの組合せＡを選択する。コイルエレメントの組合せＡを選択したら、ステップＳＴ２に進む。
【００６０】
ステップＳＴ２では、コイルエレメントの組合せＡを用いて、キャリブレーションスキャンＣＡＬａを実行する。キャリブレーションスキャンＣＡＬａでは、コイルエレメントの組合せＡを用いて被検体１３から磁気共鳴信号を収集するスキャンと、ＲＦコイル２４（図１参照）を用いて被検体１３から磁気共鳴信号を収集するスキャンとが行われる。算出手段９２（図１参照）は、キャリブレーションスキャンＣＡＬａを実行したときにコイルエレメントＥ１〜Ｅ８が受信した受信信号val１〜val８と、ＲＦコイル２４が受信した受信信号valＲＦａとを算出する。保存手段１０は、これらの受信信号を保存する。図８（ｅ）に、保存された受信信号を概略的に示す。キャリブレーションスキャンＣＡＬａを実行した後、ステップＳＴ３に進む。
【００６１】
ステップＳＴ３では、コイルエレメント選択手段９１が、本スキャンＭＳａで使用されるコイルエレメントの組合せＡを選択する。コイルエレメントの組合せＡを選択したら、ステップＳＴ４に進む。
【００６２】
ステップＳＴ４では、ステップＳＴ３で選択されたコイルエレメントの組合せＡを用いて、本スキャンＭＳａを実行する。本スキャンＭＳａを実行した後、ステップＳＴ５に進む。
【００６３】
ステップＳＴ５では、キャリブレーションデータ作成手段９４（図１参照）が、ステップＳＴ２で得られたコイルエレメントＥ１〜Ｅ８の受信信号val１〜val８と、ＲＦコイル２４の受信信号valＲＦａとに基づいて、本スキャンＭＳａで使用されたコイルエレメントの組合せＡの感度を補正するためのキャリブレーションデータＣＤａを作成する。そして、画像データ作成手段９５（図１参照）は、本スキャンＭＳａにより得られた画像データを、キャリブレーションデータＣＤａで補正し、補正された画像データを作成する。画像データを作成した後、ステップＳＴ６に進む。
【００６４】
ステップＳＴ６では、コイルエレメント選択手段９１が、本スキャンＭＳｂで使用されるコイルエレメントの組合せＢを選択する。コイルエレメントの組合せＢを選択したら、ステップＳＴ７に進む。
【００６５】
ステップＳＴ７では、ステップＳＴ６で選択されたコイルエレメントの組合せＢを用いて、本スキャンＭＳｂを実行する。本スキャンＭＳｂを実行した後、ステップＳＴ８に進む。
【００６６】
ステップＳＴ８では、変換手段９３（図１参照）が、補正データcompＢＡ１〜compＢＡ４（図８（ａ）参照）を用いて、ステップＳＴ２のキャリブレーションスキャンＣＡＬａにより得られたコイルエレメントＥ１〜Ｅ４の受信信号val１〜val４（図８（ｅ）参照）を、コイルエレメントの組合せＢを用いて磁気共鳴信号を収集したときにコイルエレメントＥ１〜Ｅ４が受信する受信信号newval１〜newval４に変換する。具体的には、以下の式を用いて変換する。
newval１＝val１×compＢＡ１  ・・・（２１）
newval２＝val２×compＢＡ２  ・・・（２２）
newval３＝val３×compＢＡ３  ・・・（２３）
newval４＝val４×compＢＡ４  ・・・（２４）
【００６７】
newval１〜newval４を算出した後、ステップＳＴ９に進む。
ステップＳＴ９では、キャリブレーションデータ作成手段９４が、ステップＳＴ８で算出した受信信号newval１〜newval４と、ステップＳＴ２で得られたＲＦコイル２４の受信信号valＲＦａとに基づいて、本スキャンＭＳｂ（ステップＳＴ７）で使用されたコイルエレメントの組合せＢの感度を補正するためのキャリブレーションデータＣＤｂを作成する。そして、画像データ作成手段９５は、本スキャンＭＳｂにより得られた画像データを、キャリブレーションデータＣＤｂで補正し、補正された画像データを作成する。このようにして、フローを終了する。
【００６８】
上記のフローでは、コイルエレメントの組合せＡを用いてキャリブレーションスキャンＣＡＬａが実行される（ステッＳＴ２）。キャリブレーションデータ作成手段９４は、キャリブレーションスキャンＣＡＬａにより得られた受信信号val１〜val８およびvalＲＦａ（図８（ｅ）参照）に基づいて、本スキャンＭＳａ（ステップＳＴ４）で使用されたコイルエレメントの組合せＡの感度を補正するためのキャリブレーションデータＣＤａを作成する（ステップＳＴ５）。また、本形態では、キャリブレーションスキャンＣＡＬａにより得られたコイルエレメントＥ１〜Ｅ４の受信信号val１〜val４（図８（ｅ）参照）を、コイルエレメントの組合せＢを用いて磁気共鳴信号を収集したときのコイルエレメントＥ１〜Ｅ４の受信信号newval１〜newval４に変換する（ステップＳＴ８）。そして、これらの受信信号newval１〜newval４と、ステップＳＴ２で得られたＲＦコイル２４の受信信号valＲＦａとに基づいて、本スキャンＭＳｂ（ステップＳＴ７）で使用されたコイルエレメントの組合せＢの感度を補正するためのキャリブレーションデータＣＤｂが作成される。したがって、キャリブレーションデータＣＤｂを取得するためのキャリブレーションスキャンをする必要がなく、撮影時間の短縮化が図られる。
【００６９】
尚、上記の説明では、図６に示すスキャンを実行するときの例が述べられている。しかし、本形態で実行可能なスキャンは、図６のスキャンに限定されることはなく、種々のスキャンが可能である。以下に、図６のスキャンとは別のスキャンを実行するときの一例について説明する。
【００７０】
図９は、図６のスキャンとは別のスキャンの一例を示す図である。
図９では、キャリブレーションスキャンＣＡＬｂと、本スキャンＭＳｂと、キャリブレーションスキャンＣＡＬｃと、本スキャンＭＳｃと、本スキャンＭＳａとが実行される。
【００７１】
キャリブレーションスキャンＣＡＬｂは、コイルエレメントの組合せＢの感度を補正するときに使用されるキャリブレーションデータＣＤｂを取得するためのスキャンである。キャリブレーションスキャンＣＡＬｂでは、コイルエレメントの組合せＢ（図２参照）を用いて磁気共鳴信号が収集される。
【００７２】
本スキャンＭＳｂは、高速スピンエコー法（ＦＳＥ）で被検体１３のデータを取得するためのスキャンである。本スキャンＭＳｂでは、キャリブレーションスキャンＣＡＬｂと同様に、コイルエレメントの組合せＢを用いて磁気共鳴信号が収集される。
【００７３】
キャリブレーションスキャンＣＡＬｃは、コイルエレメントの組合せＣの感度を補正するときに使用されるキャリブレーションデータＣＤｃを取得するためのスキャンである。キャリブレーションスキャンＣＡＬｃでは、コイルエレメントの組合せＣ（図２参照）を用いて磁気共鳴信号が収集される。
【００７４】
本スキャンＭＳｃは、拡散強調画像法（ＤＷＩ）で被検体１３のデータを取得するためのスキャンである。本スキャンＭＳｃでは、キャリブレーションスキャンＣＡＬｃと同様に、コイルエレメントの組合せＣを用いて磁気共鳴信号が収集される。
【００７５】
本スキャンＭＳａは、スピンエコー法（ＳＥ）で被検体１３のデータを取得するためのスキャンである。本スキャンＭＳａでは、コイルエレメントの組合せＡ（図２参照）を用いて磁気共鳴信号が収集される。
【００７６】
以下に、図９に示すスキャンを実行し、画像データを作成するときの手順について、図１０のフローを参照しながら説明する。
【００７７】
先ず、ステップＳＴ１において、コイルエレメント選択手段９１が、キャリブレーションスキャンＣＡＬｂで使用されるコイルエレメントの組合せＢを選択する。コイルエレメントの組合せＢを選択したら、ステップＳＴ２に進む。
【００７８】
ステップＳＴ２では、コイルエレメントの組合せＢを用いて、キャリブレーションスキャンＣＡＬｂを実行する。キャリブレーションスキャンＣＡＬｂでは、コイルエレメントの組合せＢを用いて被検体１３から磁気共鳴信号を収集するスキャンと、ＲＦコイル２４（図１参照）を用いて被検体１３から磁気共鳴信号を収集するスキャンとが行われる。算出手段９２は、キャリブレーションスキャンＣＡＬｂを実行したときにコイルエレメントＥ１〜Ｅ４が受信した受信信号val１〜val４と、ＲＦコイル２４が受信した受信信号valＲＦｂとを算出する。保存手段１０は、これらの受信信号を保存する。図１１（ｅ）に、保存された受信信号を概略的に示す。キャリブレーションスキャンＣＡＬｂを実行した後、ステップＳＴ３に進む。
【００７９】
ステップＳＴ３では、コイルエレメント選択手段９１が、本スキャンＭＳｂで使用されるコイルエレメントの組合せＢを選択する。コイルエレメントの組合せＢを選択したら、ステップＳＴ４に進む。
【００８０】
ステップＳＴ４では、ステップＳＴ３で選択されたコイルエレメントの組合せＢを用いて、本スキャンＭＳｂを実行する。本スキャンＭＳｂを実行した後、ステップＳＴ５に進む。
【００８１】
ステップＳＴ５では、キャリブレーションデータ作成手段９４が、ステップＳＴ２で得られたコイルエレメントＥ１〜Ｅ４の受信信号val１〜val４と、ＲＦコイル２４の受信信号valＲＦｂとに基づいて、本スキャンＭＳｂで使用されたコイルエレメントの組合せＢの感度を補正するためのキャリブレーションデータＣＤｂを作成する。そして、画像データ作成手段９５は、本スキャンＭＳｂにより得られた画像データを、キャリブレーションデータＣＤｂで補正し、補正された画像データを作成する。画像データを作成した後、ステップＳＴ６に進む。
【００８２】
ステップＳＴ６では、コイルエレメント選択手段９１が、キャリブレーションスキャンＭＳｃで使用されるコイルエレメントの組合せＣを選択する。コイルエレメントの組合せＣを選択したら、ステップＳＴ７に進む。
【００８３】
ステップＳＴ７では、コイルエレメントの組合せＣを用いて、キャリブレーションスキャンＣＡＬｃを実行する。キャリブレーションスキャンＣＡＬｃでは、コイルエレメントの組合せＣを用いて被検体１３から磁気共鳴信号を収集するスキャンと、ＲＦコイル２４（図１参照）を用いて被検体１３から磁気共鳴信号を収集するスキャンとが行われる。算出手段９２は、キャリブレーションスキャンＣＡＬｃを実行したときにコイルエレメントＥ５〜Ｅ８が受信した受信信号val５〜val８と、ＲＦコイル２４が受信した受信信号valＲＦｃとを算出する。保存手段１０は、これらの受信信号を保存する。図１２（ｆ）に、保存された受信信号を概略的に示す。キャリブレーションスキャンＣＡＬｃを実行した後、ステップＳＴ８に進む。
【００８４】
ステップＳＴ８では、コイルエレメント選択手段９１が、本スキャンＭＳｃで使用されるコイルエレメントの組合せＣを選択する。コイルエレメントの組合せＣを選択したら、ステップＳＴ９に進む。
【００８５】
ステップＳＴ９では、ステップＳＴ８で選択されたコイルエレメントの組合せＣを用いて、本スキャンＭＳｃを行う。本スキャンＭＳｃを実行した後、ステップＳＴ１０に進む。
【００８６】
ステップＳＴ１０では、キャリブレーションデータ作成手段９４が、ステップＳＴ７で得られたコイルエレメントＥ５〜Ｅ８の受信信号val５〜val８と、ＲＦコイル２４の受信信号valＲＦｃとに基づいて、本スキャンＭＳｃで使用されたコイルエレメントの組合せＢの感度を補正するためのキャリブレーションデータＣＤｃを作成する。そして、画像データ作成手段９５は、本スキャンＭＳｃにより得られた画像データを、キャリブレーションデータＣＤｃで補正し、補正された画像データを作成する。画像データを作成した後、ステップＳＴ１１に進む。
【００８７】
ステップＳＴ１１では、コイルエレメント選択手段９１が、本スキャンＭＳａで使用されるコイルエレメントの組合せＡを選択する。コイルエレメントの組合せＡを選択したら、ステップＳＴ１２に進む。
【００８８】
ステップＳＴ１２では、ステップＳＴ１１で選択されたコイルエレメントの組合せＡを用いて、本スキャンＭＳａを実行する。本スキャンＭＳａを実行した後、ステップＳＴ１３に進む。
【００８９】
ステップＳＴ１３では、変換手段９３が、補正データcompＡＢ１〜compＡＢ４（図１２（ｄ）参照）を用いて、ステップＳＴ２のキャリブレーションスキャンＣＡＬｂにより得られたコイルエレメントＥ１〜Ｅ４の受信信号val１〜val４（図１２（ｅ）参照）を、コイルエレメントの組合せＡを用いて磁気共鳴信号を収集したときにコイルエレメントＥ１〜Ｅ４が受信する受信信号newval１〜newval４に変換する。具体的には、以下の式を用いて変換する。
newval１＝val１×compＡＢ１  ・・・（２５）
newval２＝val２×compＡＢ２  ・・・（２６）
newval３＝val３×compＡＢ３  ・・・（２７）
newval４＝val４×compＡＢ４  ・・・（２８）
【００９０】
また、変換手段９３は、補正データcompＡＣ５〜compＡＣ８（図１２（ｄ）参照）を用いて、ステップＳＴ７のキャリブレーションスキャンＣＡＬｃにより得られたコイルエレメントＥ５〜Ｅ８の受信信号val５〜val８（図１２（ｆ）参照）を、コイルエレメントの組合せＡを用いて磁気共鳴信号を収集したときにコイルエレメントＥ５〜Ｅ８が受信する受信信号newval５〜newval８に変換する。具体的には、以下の式を用いて変換する。
newval５＝val５×compＡＣ５  ・・・（２９）
newval６＝val６×compＡＣ６  ・・・（３０）
newval７＝val７×compＡＣ７  ・・・（３１）
newval８＝val８×compＡＣ８  ・・・（３２）
【００９１】
newval１〜newval８を算出した後、ステップＳＴ１４に進む。
ステップＳＴ１４では、キャリブレーションデータ作成手段９４が、ステップＳＴ１３で算出した受信信号newval１〜newval８と、ステップＳＴ２で得られたＲＦコイル２４の受信信号valＲＦｂと、ステップＳＴ７で得られたＲＦコイル２４の受信信号valＲＦｃとに基づいて、本スキャンＭＳａ（ステップＳＴ１２）で使用されたコイルエレメントの組合せＡの感度を補正するためのキャリブレーションデータＣＤａを作成する。そして、画像データ作成手段９５は、本スキャンＭＳａにより得られた画像データを、キャリブレーションデータＣＤａで補正し、補正された画像データを作成する。このようにして、フローを終了する。
【００９２】
図１０のフローでは、ステップＳＴ１３で算出した受信信号newval１〜newval８に基づいて、本スキャンＭＳａ（ステップＳＴ１２）で使用されたコイルエレメントの組合せＡの感度を補正するためのキャリブレーションデータＣＤａが作成される。したがって、キャリブレーションデータＣＤａを取得するためのキャリブレーションスキャンをする必要がなく、撮影時間の短縮化が図られる。
【００９３】
尚、図９〜図１２では、コイルエレメントの組合せＡが、２組のコイルエレメントの組合せ（組合せＢおよびＣ）のコイルエレメントを含んでいる場合について説明されているが、これに限定されることはない。例えば、以下のようなコイルエレメントの組合せを考えてもよい。
（１）８個のコイルエレメントＥ１〜Ｅ８を含むコイルエレメントの組合せＡ
（２）３個のコイルエレメントＥ１〜Ｅ３を含むコイルエレメントの組合せＰ
（３）３個のコイルエレメントＥ４〜Ｅ６を含むコイルエレメントの組合せＱ
（４）２個のコイルエレメントＥ７およびＥ８を含むコイルエレメントの組合せＲ
【００９４】
上記の例では、コイルエレメントの組合せＡは、コイルエレメントの組合せＰ、Ｑ、およびＲのコイルエレメントを含んでいる。この場合、コイルエレメントの組合せＰ、Ｑ、およびＲの各々を用いて磁気共鳴信号を収集するためのキャリブレーションスキャンを実行する。そして、コイルエレメントの組合せＰ、Ｑ、Ｒごとに各エレメントが受信した受信信号を算出し、算出した受信信号を、コイルエレメントの組合せＡで磁気共鳴信号を収集したときの各コイルエレメントの受信信号に変換する。これにより、コイルエレメントの組合せＡを用いて磁気共鳴信号を収集するためのキャリブレーションスキャンを実行する必要がないので、やはり撮影時間の短縮化が図られる。このように、コイルエレメントの組合せＡは、３組以上のコイルエレメントの組合せを含んでいてもよい。
【符号の説明】
【００９５】
２  マグネット
３  テーブル
３ａ  クレードル
４  受信コイル
５  シーケンサ
６  送信器
７  勾配磁場電源
８  受信器
９  制御部
１０  保存手段
１１  操作部
１２  表示部
１３  被検体
２１  ボア
２２  超伝導コイル
２３  勾配コイル
２４  ＲＦコイル
９１  コイルエレメント選択手段
９２  算出手段
９３  変換手段
９４  キャリブレーションデータ作成手段
９５  画像データ作成手段
１００  ＭＲ装置
【図１】
0006004648.tif 000002
【図２】
0006004648.tif 000003
【図３】
0006004648.tif 000004
【図４】
0006004648.tif 000005
【図５】
0006004648.tif 000006
【図６】
0006004648.tif 000007
【図７】
0006004648.tif 000008
【図８】
0006004648.tif 000009
【図９】
0006004648.tif 000010
【図１０】
0006004648.tif 000011
【図１１】
0006004648.tif 000012
【図１２】
0006004648.tif 000013